(57)【要約】【課題】  本発明は、積雪の屋根面における滑落雪の防止とともに融雪効率を向上するための装置を提供する。【解決手段】  屋根面の法面部材２は上下２枚の複合体に成る波板材３，３を谷部を接し山部を離して横方向に重ねて構成し、軒先部材１の底部に単体の波板材８を左右両側端の取付板９，９に固着して設け、軒先部材用の波板材の後端部に前記複合波板材の前端部を連結し、必要に応じて法面部材の複合波板材部と軒先部材の単体波板材部との間にさらに単体又は複合体から成る波板材を連結して成る。【選択図】    図１
2013096056.tif 000002
【特許請求の範囲】
【請求項１】
上下２枚の波板材をその谷部を接し山部を離して横方向に重ねて構成した複合体を屋根面の適所に設置して成ることを特徴とする屋根用融雪装置。
【請求項２】
屋根面の軒先部側に設置する軒先部材とこの軒先部材に連結する法面部材に大別し、前記法面部材は上下２枚の複合体に成る波板材を谷部を接し山部を離して横方向に重ねて構成し、前記軒先部材の底部に単体の波板材を左右両側端の取付板に固着して設けるとともにその上部に側面略三角形状に成る線部材を設置し、軒先部材用の波板材の後端部に前記複合波板材の前端部を連結して成ることを特徴とする屋根用融雪装置。
【請求項３】
法面部材の複合波板材部と軒先部材の単体波板材部との間に必要に応じてさらに単体又は複合体から成る波板材を連結して成る請求項２に記載した屋根用融雪装置。
【発明の詳細な説明】
【技術分野】
【０００１】
本発明は、雪国地方の屋根面に設置する融雪装置に関するものである。
【背景技術】
【０００２】
本発明者は、軒先融雪装置に関する特願２００８−１５８８８５（特開２０１０−１６０６）において、屋根面に波板材を使用した構成の装置を発明しているが、多量に積雪する屋根面における滑落雪の防止は図られても、融雪効果はさほど期待することはできず、欠点となっていた。
【先行技術文献】
【特許文献】
【０００３】
【特許文献１】特開２０１０−１６０６号公報
【発明の概要】
【発明が解決しようとする課題】
【０００４】
そこで、本発明は、前記のような屋根面における融雪装置の欠点を一掃した融雪装置を提供することを目的とするものである。
【課題を解決するための手段】
【０００５】
本発明は、上下２枚の波板材をその谷部を接し山部を離して横方向に重ねて構成した複合体を屋根面の適所に設置して成るものである。
【０００６】
また本発明は、屋根面の軒先部側に設置する軒先部材とこの軒先部材に連結する法面部材に大別し、前記法面部材は上下２枚の複合体に成る波板材をその谷部を接し山部を離して横方向に重ねて構成し、前記軒先部材の底部に単体の波板材を左右両側端の取付板に固設して設けるとともにその上部に側面略三角形状に成る線部材を設置し、軒先部材用の波板材の後端部に前記複合波板材の前端部を連結して成るものである。
【０００７】
また、屋根面上の前記法面部材の複合波板材部と軒先部材の単体波板材部との間に、必要に応じてさらに単体又は複合体に成る波板材を連結して成るものである。
【発明の効果】
【０００８】
面積の広い屋根の法面部分に同一形状の２枚の波板材を上下複合体に構成したことにより、複合波板材の上下山部の多数の凸状内部には空気の流通孔が傾斜状に形成されることになるから、積雪面に接しない空間と通気性とによって波板材上面の積雪に対して溶解を迅速に促進することができ、またその影響によって波板材上の積雪の滑落も促進されるから、融雪効率はきわめて大きくなる。
【０００９】
また、屋根面の面積に合わせて複合波板材を複数個連結することができるから、雪国地方の屋根の状況に合わせて施工することができるようになる。
【図面の簡単な説明】
【００１０】
【図１】一実施例の各部材の斜視図
【図２】一実施例の部材の連結状態を示す斜視図
【図３】他実施例の部材の連結状態を示す斜視図
【図４】図１の要部の平面図
【図５】図４の正面図
【図６】図４の右側面図
【図７】図３の平面図
【図８】図７の正面図
【発明を実施するための形態】
【００１１】
屋根面の広面積にあたる法面部分には上下に重合した複合体構造に成る２枚の波板材を構成していることにより、凹凸状に成る谷部と山部との関係を利用して両谷部は接し両山部は離間することによって多数の円筒状の通気孔を上方から下方にかけて形成することになり、これによって空気の流通を円滑に行わしめることになる。
【００１２】
また、軒先面部においては積雪の滑落防止用の線材体が横方向に張架していることにより、軒先面部において波板材の有無にかかわらず、前記法面部材の複合波板材によって促進された融雪が流水になるまで安全に保留されるようになる。
【実施例】
【００１３】
本装置は、大別して、屋根面の軒先部側に設置する軒先部材１とこの軒先部材に連結する後方の法面部材２とに分れている。
【００１４】
前記法面部材２は、上下２枚の波板材３，３を、谷部を接し山部を離して横方向に重ね合わせて連継して複合体に構成し、この複合体の中間部には補強板４を介装し、その左右両端部には取付板５，５を固着し、この取付板の後端部間には横架材６を架設する。
【００１５】
７，７は前記横架材６の左右両端部に設ける取付具で、この取付具は屋根面の構造に合わせて形態の異なるものを設けるが、図面では横葺屋根の場合の取付具を例示している。
【００１６】
８は前記軒先部材１の底面部に当たる単体の波板材で、この波板材の左右両側端部には取付板９，９を固着する。この軒先部用の波板材８の後端部には、前記複合波板材３，３の前端部が連結するようになるが、この場合、屋根面の面積に応じて、軒先部材１を構成する単体の波板材８と法面部材としての複合体に成る波板材３，３との間には、もう１個の複合体に成る波板材を連結延長してもよい。
【００１７】
１０は前記軒先部材１の最先端部に設置する側面略三角形状に成る線部材で、この線部材の構成は縦横斜め方向の線材の組み合わせから成るもので、例えば特開２００６−２０７２３４に図示したものと同じ構成である。
【００１８】
この線部材１０の下方部は、図示しているように波板材８を設置したままの状態でもよいか、図示しないがこの下方部に当たる波板材部分を切除して開放状態に構成してもよい（特開２０１０−１６０６の図１を参照）。
【００１９】
１１，１１は前記軒先部材１の単体の波板材８の左右両側端部に設けた取付板９，９の前端部に設けた掛止杆で、この掛止杆は屋根の軒先の一部に掛止めて固定するようになり、この左右の掛止杆間の波板材切開部の下方部には軒先下の雨樋が位置している。
【００２０】
なお、図示しないが、軒先部材１を構成する線部材１０の全体には網板を被套してもよい（特開２０１０−１６０６の図１，図２を参照）。
【符号の説明】
【００２１】
１                            軒先部材
２                            法面部材
３，３                        複合体波板材
４                            補強板
５，５                        取付板
６                            横架材
７，７                        取付具
８                            単体波板材
９，９                        取付板
１０                          線部材
１１，１１                    掛止杆
【図１】
2013096056.tif 000003
【図２】
2013096056.tif 000004
【図３】
2013096056.tif 000005
【図４】
2013096056.tif 000006
【図５】
2013096056.tif 000007
【図６】
2013096056.tif 000008
【図７】
2013096056.tif 000009
【図８】
2013096056.tif 000010